(57)【特許請求の範囲】
【請求項１】
側方を向く分岐口部が形成された割Ｔ字管の前記分岐口部には、分岐管及び穿孔機を接続する接続部が形成された仕切弁装置が設けられており、少なくとも分岐管の内周面にはロックリングとパッキンが配置されるとともに、前記接続部の外周面には分岐管の抜け出しを阻止する環状凸部が設けられていることを特徴とする管接続装置。
【請求項２】
前記穿孔機は、前記接続部に外嵌される接合調整装置を介して取り付けられるようになっている請求項１に記載の管接続装置。
【請求項３】
前記接合調整装置が、接続部にパッキンを介して水密に外嵌される受口部と、接続部に当接する複数の固定ボルトと、穿孔機が取り付けられるフランジ部とで構成される請求項２に記載の管接続装置。
【請求項４】
前記接続部の外周面に外径方向に突出した係合片が設けられるとともに、前記接合調整装置には前記係合片が嵌合する溝部が設けられている請求項２または３に記載の管接続装置。
【請求項５】
穿孔機の先端が、前記接続部を受け入れる受口部となっており、前記接続部と受口部とはパッキンを介して水密に嵌合されるようになっている請求項１に記載の管接続装置。
【発明の詳細な説明】
【０００１】
【発明の属する技術分野】
本発明は、例えば水道本管等の流体管に、流体管の流れを止めないで分岐管を接続する際に用いられる管接続装置に関する。
【０００２】
【従来の技術】
図５は、水道本管等に分岐管を接続する従来の管接続装置の一例を示すもので、流体管Ｐの外周面にパッキンＣを介して水密に装着された割Ｔ字管Ａの一方に、側方を向く分岐口部Ｂが連接され、分岐口部Ｂの端部に形成されたフランジには仕切弁装置Ｄが接続されている。
【０００３】
流体管Ｐ内の水を分岐管Ｇに分岐するには、まず仕切弁装置Ｄの弁体Ｅを引き上げて流路より退避させた状態で、仕切弁装置Ｄのフランジに取り付けられた穿孔機（図示略）のカッターを分岐口部Ｂ側に前進させることにより、流体管Ｐの側壁に分岐孔Ｆを孔設する。
【０００４】
そして、カッターを穿孔機側に引き戻し、弁体Ｅを下降させて流路を閉塞したのち、仕切弁装置Ｄより穿孔機を取り外し、仕切弁装置Ｄのフランジに分岐管Ｇを接続する。
【０００５】
ついで、弁体Ｅを引き上げれば、流体管Ｐ内に水を通水させた状態で、流体管Ｐ内の水を分岐管Ｇ側に分岐させることができる。
【０００６】
上記の流体管や分岐管は、一方の端部には抜け出しを防止するロックリングが収容される溝とパッキンが収容される拡径部とが形成された受口部が設けられ、他方の端部にはロックリングと係合する環状凸部が形成された挿口部が設けられている管体で配管されており、抜出防止機構を持った継手を使用しての耐震管路になっている。
【０００７】
【発明が解決しようとする課題】
上記の管接続装置は、流体管や分岐管とともに地中に埋設されており、地震や地盤沈下等により、流体管と分岐管がさまざまな方向に相対移動することによって、管接続装置には曲げや引張り又は圧縮の力が作用する。
【０００８】
流体管や分岐管は抜出防止機構を有した耐震継手で配管されているのでそれぞれの配管ラインは耐震化が計られているが、管接続装置における仕切弁装置の端部と分岐管の接続は、それぞれに形成されたフランジでパッキンを管軸方向に挟んで止水するフランジ継手によって行われていた。このフランジ継手は力が加わってフランジが少しでも開くと漏水する性質を持った継手であり、従来の管接続装置を用いて分岐管の接合を行ったものに地震や地盤沈下等により力が作用するとフランジ接合部分で漏水事故を起こす恐れがあった。
【０００９】
本発明が解決しようとする課題は、上記問題を解決するためになされたもので、管接続装置と分岐管の接続において力が加わっても漏水することのない管接続装置を提供する点にある。
【００１０】
【課題を解決するための手段】
上記課題を解決するために、本発明の管接続装置は、側方を向く分岐口部が形成された割Ｔ字管の前記分岐口部には、分岐管及び穿孔機を接続する接続部が形成された仕切弁装置が設けられており、少なくとも分岐管の内周面にはロックリングとパッキンが配置されるとともに、前記接続部の外周面には分岐管の抜け出しを阻止する環状凸部が設けられていることを特徴としている。
この特徴により、仕切弁装置の接続部に取り付けられた穿孔機により流体管を穿孔し水を分岐管側に分岐した後、分岐管を接続するに当り、接続部の外周面に設けられた環状凸部が分岐管の内周面に配置されたにロックリングに係合することにより分岐管の抜け出しが阻止され、分岐管の内部に収容されたパッキンを接続部の外周面と接続部に外嵌された分岐管の内周面とによって半径方向に挟み込んで止水することができるので、地震や地盤沈下等によって力が働いたときにおいても管接続装置と分岐管の接合部分で漏水することがない。
【００１１】
前記穿孔機は、前記接続部に外嵌される接合調整装置を介して取り付けられるようになっているのが好ましい。
このようにすると、接合部の形状に合わせて穿孔機を製作しなくてもよくなり、１つの穿孔機で各種の接合部を持った管接続装置に使用することができるので経済的になる。
【００１２】
前記接合調整装置が、接続部にパッキンを介して水密に外嵌される受口部と、接続部に当接する複数の固定ボルトと、穿孔機が取り付けられるフランジ部とで構成されているのが好ましい。
このようにすると、固定ボルトを調整することによって管接続装置の分岐口部と穿孔機の芯を合わせるのが容易となり作業時間を短縮することができる。
【００１３】
前記接続部の外周面に外径方向に突出した係合片が設けられるとともに、前記接合調整装置には前記係合片が嵌合する溝部が設けられているのが好ましい。
このようにすると、接合調整装置の溝部を接続部の係合片に係合させて接続しフランジ部に穿孔機を取り付けることができるので、穿孔作業における穿孔機の回転の反力を係合片で受けることができるので穿孔機の回転を防止することができる。
【００１４】
穿孔機の先端が、前記接続部を受け入れる受口部となっており、前記接続部と受口部とはパッキンを介して水密に嵌合されるようになっているのが好ましい。このようにすると、穿孔機を直接接続部に取り付けることができるので作業時間を短縮することができる。
【００１５】
【発明の実施の形態】
以下、本発明の実施例を図面に基づいて説明する。
【００１６】
図１ないし図４は、本発明の実施例の管接続装置１を示すもので、図１、図２は管接続装置１に分岐管２が接続された状態を示している。
【００１７】
地中に埋設されたダクタイル鋳鉄製等の流体管３の外周面に、割Ｔ字管４が水密性を保持して装着されている。割Ｔ字管４は、径方向に２分割可能な第１ケース４ａと第２ケース４ｂとからなり、パッキン５が水道本管１の外周面と第１ケース４ａに密着するように装着されている。割Ｔ字管４は、２分割に限らず３分割など複数に分割可能であってよい。
【００１８】
第１ケース４ａには、管軸に対して直角外向きに分岐口部６が一体に形成され、その分岐口部６の先には、弁軸７ａによって上下する弁体７ｂが設けられた仕切弁装置７が一体に設けられている。
【００１９】
仕切弁装置７の先端には分岐管２を接続する接続部７ｃが設けられ、接続部７ｃの外周面の先端には先細りのテーパー面を持った環状凸部７ｄが外径方向に突出して設けられ、接続部７の基部には上下２箇所に外径方向に突出した所定幅の係合片７ｅが形成されている。係合片７ｅは上下２箇所に限らず上下左右の４箇所に設けてあってもよいし、均等に６箇所に設けてあってもよい。
【００２０】
前記接続部７ｃには、分岐管２の受口部２ａが外嵌されており、受口部２ａにはロックリング８が収容される環状溝２ｂと止水パッキン９が収容される拡径部２ｃが形成され、ロックリング８は接続部７ｃの環状凸部７ｄと係合し、止水パッキン９は受口部２ａの内周面と接続部７ｃの外周面とに挟まれ半径方向に圧縮されて止水している。
【００２１】
図３は、管接続装置１を用いて流体管３を穿孔する状態を示しており、流体管３に水密に取り付けられた管接続装置１の接続部７ｃに接合調整装置１０が環状パッキン１２を介して水密に外嵌され、管軸直角方向内向きにねじ込まれた固定ボルト１１によって固定され、接合調整装置１０のフランジ部１０ｂには穿孔機が取り付けられ、流体管３には分岐孔３ａが穿孔機のカッター１４で孔設されている。
【００２２】
接合調整装置１０は図４に示すように接続部７ｃに外嵌される受口部１０ａと、穿孔機を接続するフランジ部１０ｂとで構成されており、受口部１０ａの先端仕切弁装置７側には係合片７ｅに係合する溝部１０ｃが４個所設けられ、内周面には環状パッキン１２が配置される拡径部１０ｄが形成され、固定ボルト１１が螺入される雌ねじ部１０ｅが拡径部１０ｄの先端側に４箇所形成されている。フランジ部１０ｂには、穿孔機を取り付ける取付ボルト１３が螺入される雌ねじ部１０ｆが形成されている。
【００２３】
本発明の管接続装置１を用いて分岐管２を接続するには、まず流体管３の外周面に割Ｔ字管４を水密に取り付け、接合調整装置１０の受口部１０ａを拡径部１０ｄに嵌合された止水パッキン９を介して接続部７ｃに水密に外嵌する。受口部１０ａの溝部１０ｃを接続部７ｃの係合片７ｅに係合させ、受口部１０ａの雌ねじ部１０ｅに螺入された固定ボルト１１をねじ込み接続部７ｃの外周面に当接させ、分岐口部６と接合調整装置１０との芯を合わせながら固定し、穿孔機をフランジ部１０ｂの雌ねじ部１０ｆに取付ボルト１３を螺入して接合調整装置１０に固定する。
【００２４】
つぎに、仕切弁装置７の弁体７ｂを上げ、穿孔機のカッター１４を流体管３側に送り出して穿孔を行う。流体管３に分岐孔３ａが孔設されて穿孔を終了する。
【００２５】
カッター１４を穿孔機側に引き戻した後に仕切弁装置７の弁体７ｂを下し分岐口部６側を止水し、穿孔機と接合調整装置１０を取り外す。
【００２６】
ロックリング８、止水パッキン９が内嵌された分岐管２の受口部２ａを接続部７ｃに外嵌して分岐管２の接続を完了する。最後に弁体７ｂを上げて流体管３の流体を分岐管２側に分岐する。
【００２７】
分岐管２の環状溝２ｂに嵌合されたロックリング８が接続部７ｃの環状凸部７ｄと係合し分岐管２の抜け出しが阻止され、止水パッキン９が分岐管２の内周面と接続部７ｃの外周面で半径方向に圧縮されて止水されているので、地震や地盤沈下等により、流体管３と分岐管２がさまざまな方向に相対移動しても、管接続装置１と分岐管２との接続部７ｃにおいて漏水するようなことはない。
【００２８】
本発明は、上記実施例に限定されるものではない。
【００２９】
実施例では、接合調整装置のフランジ部にはボルトを螺合する雌ねじ部が形成されていたが、ボルトを挿通するボルト孔を形成しボルト・ナットで穿孔機を接合調整装置に取り付けてもよい。
【００３０】
実施例では、接続部に分岐管がスリップオン式に接続されているが、押輪を接続部に外嵌してボルト・ナットで分岐管の端部に設けられたフランジにパッキンを押しながら締結して分岐管を接続してもよい。
【００３１】
【発明の効果】
本発明によれば、仕切弁装置の接続部に取り付けられた穿孔機により流体管を穿孔し水を分岐管側に分岐した後、分岐管を接続するに当り、接続部の外周面に設けられた環状凸部が分岐管の内周面に配置されたロックリングに係合することにより分岐管の抜け出しが阻止され、分岐管の内部に収容されたパッキンを接続部の外周面と接続部に外嵌された分岐管の内周面とによって半径方向に挟み込んで止水することができるので、地震や地盤沈下等によって力が働いたときにおいても管接続装置と分岐管の接合部分で漏水することがない。
【００３２】
請求項２の発明によれば、接合部の形状に合わせて穿孔機を製作しなくてもよくなり、１つの穿孔機で各種の接合部を持った管接続装置に使用することができるので経済的である。
【００３３】
請求項３の発明によれば、固定ボルトを調整することによって管接続装置の分岐口部と穿孔機の芯を合わせるのが容易となり作業時間を短縮することができる。
【００３４】
請求項４の発明によれば、接合調整装置の溝部を接続部の係合片に係合させて接続しフランジ部に穿孔機を取り付けることができるので、穿孔作業における穿孔機の回転の反力を係合片で受けることができるので穿孔機の回転を防止することができる。
【００３５】
請求項５の発明によれば、穿孔機を直接接続部に取り付けることができるので作業時間を短縮することができる。
【００３６】
【図面の簡単な説明】
【図１】本発明の第１実施例を示すＩ−Ｉ断面図である。
【図２】同じく、正面図である。
【図３】同じく、穿孔機取り付け時を示す断面図である。
【図４】同じく、（ａ）は接合調整装置の断面図、（ｂ）は正面図である。
【図５】従来例を示す中央縦断側面図である。
【符号の説明】
１              管接続装置
２              分岐管
２ａ            受口部
２ｂ            環状溝
２ｃ            拡径部
３              流体管
３ａ            分岐孔
４              割Ｔ字管
４ａ            第１ケース
４ｂ            第２ケース
５              パッキン
６              分岐口部
７              仕切弁装置
７ａ            弁軸
７ｂ            弁体
７ｃ            接続部
７ｄ            環状凸部
７ｅ            係合片
８              ロックリング
９              止水パッキン
１０            接合調整装置
１０ａ          受口部
１０ｂ          フランジ部
１０ｃ          溝部
１０ｄ          拡径部
１０ｅ          雌ねじ部
１０ｆ          雌ねじ部
１１            固定ボルト
１２            環状パッキン
１３            取付ボルト
１４            カッター
【図１】
0004120995.tif 000002
【図２】
0004120995.tif 000003
【図３】
0004120995.tif 000004
【図４】
0004120995.tif 000005
【図５】
0004120995.tif 000006